(57)【特許請求の範囲】
【請求項１】
所定の地域で提供されるサービスに関する情報を登録するサービス登録部と、
前記所定の地域を在住地とするユーザのユーザ情報を含む登録要求に基づいて前記ユーザ情報を地域内グループに登録し、前記所定の地域とは異なる地域を在住地とするユーザのユーザ情報を含む登録要求に基づいて前記ユーザ情報を地域外グループに登録するユーザ登録部と、
前記地域内グループに登録された第１ユーザ及び前記地域外グループに登録された第２ユーザのうちのいずれかの前記ユーザから、前記第１ユーザと前記第２ユーザとが前記サービスを共同で利用するための利用要求を取得する要求取得部と、
前記要求取得部が取得した前記利用要求を送信した複数の前記ユーザに、前記第１ユーザと前記第２ユーザとが含まれることを条件として、前記サービスを利用するための案内を、前記第１ユーザ及び前記第２ユーザに送信する送信部と、
を有する情報処理装置。
【請求項２】
前記要求取得部は、前記利用要求を取得する前に、前記ユーザから前記サービスの利用を希望するための希望要求を取得し、
前記要求取得部が前記ユーザから前記希望要求を取得した場合に、前記ユーザと、前記希望要求が示す前記サービスとを関連付ける関連付部をさらに有し、
前記送信部は、前記要求取得部が取得した前記利用要求を送信した複数の前記ユーザに、前記第１ユーザと前記第２ユーザとが含まれ、かつ前記第１ユーザと前記第２ユーザとのうちの少なくともいずれかに前記サービスが関連付けられていることを条件として、前記案内を前記第１ユーザ及び前記第２ユーザに送信する、
請求項１に記載の情報処理装置。
【請求項３】
前記要求取得部は、前記第１ユーザ及び前記第２ユーザのいずれか一方のユーザから前記希望要求を取得し、前記第１ユーザ及び前記第２ユーザのうち、前記一方のユーザとは異なる他方のユーザから、前記一方のユーザに前記サービスの利用を提案するための提案要求を取得し、
前記送信部は、前記提案要求を取得した場合に、前記提案要求が示す前記サービスの利用の提案を前記一方のユーザに送信し、
前記要求取得部は、前記送信部が前記提案を前記一方のユーザに送信した後に、前記一方のユーザから前記提案を承諾したことを示す承諾通知と、前記利用要求とを取得し、
前記送信部は、前記要求取得部が前記承諾通知を取得したことをさらに条件として、前記案内を前記第１ユーザ及び前記第２ユーザに送信する、
請求項２に記載の情報処理装置。
【請求項４】
前記送信部は、前記案内として、前記サービスの予約を行うための情報を前記第１ユーザ及び前記第２ユーザに送信する、
請求項１から３のいずれか一項に記載の情報処理装置。
【請求項５】
前記送信部は、前記第１ユーザ及び前記第２ユーザにそれぞれ異なる内容の前記案内を送信する、
請求項１から４のいずれか一項に記載の情報処理装置。
【請求項６】
前記ユーザ情報には、前記サービスの利用料金を決済するための決済情報が含まれ、
前記送信部が前記案内を送信した後に、前記第１ユーザ及び前記第２ユーザそれぞれの前記決済情報に基づいて、前記第１ユーザ及び前記第２ユーザに対して前記利用料金を決済する決済部をさらに有する、
請求項１から５のいずれか一項に記載の情報処理装置。
【請求項７】
前記ユーザ情報には、前記ユーザの電話番号が含まれ、
前記ユーザ登録部は、前記電話番号が、前記所定の地域で事業を行う通信事業者により割り当てられた電話番号である場合に、前記ユーザ情報を前記地域内グループに登録する、
請求項１から６のいずれか一項に記載の情報処理装置。
【請求項８】
前記サービス登録部は、前記ユーザが前記所定の地域を訪れることにより提供される前記サービスに関する情報を登録する、
請求項１から７のいずれか一項に記載の情報処理装置。
【請求項９】
コンピュータが実行する、
所定の地域で提供されるサービスに関する情報を登録するステップと、
前記所定の地域を在住地とするユーザのユーザ情報を含む登録要求に基づいて前記ユーザ情報を地域内グループに登録するステップと、
前記所定の地域とは異なる地域を在住地とするユーザのユーザ情報を含む登録要求に基づいて前記ユーザ情報を地域外グループに登録するステップと、
前記地域内グループに登録された第１ユーザ及び前記地域外グループに登録された第２ユーザのうちのいずれかの前記ユーザから、前記第１ユーザと前記第２ユーザとが前記サービスを共同で利用するための利用要求を取得するステップと、
取得した前記利用要求を送信した複数の前記ユーザに、前記第１ユーザと前記第２ユーザとが含まれることを条件として、前記サービスを利用するための案内を、前記第１ユーザ及び前記第２ユーザに送信するステップと、
を有する情報処理方法。
【請求項１０】
前記利用要求を取得する前に、前記ユーザから前記サービスの利用を希望するための希望要求を取得するステップと、
前記ユーザから前記希望要求を取得した場合に、前記ユーザと、前記希望要求が示す前記サービスとを関連付けるステップと、
を有し、
前記案内を送信するステップにおいて、取得した前記利用要求を送信した複数の前記ユーザに、前記第１ユーザと前記第２ユーザとが含まれ、かつ前記第１ユーザと前記第２ユーザとのうちの少なくともいずれかに前記サービスが関連付けられていることを条件として、前記案内を前記第１ユーザ及び前記第２ユーザに送信する、
請求項９に記載の情報処理方法。
【請求項１１】
前記希望要求を取得するステップにおいて、前記第１ユーザ及び前記第２ユーザのいずれか一方のユーザから前記希望要求を取得し、
前記第１ユーザ及び前記第２ユーザのうち、前記一方のユーザとは異なる他方のユーザから、前記一方のユーザに前記サービスの利用を提案するための提案要求を取得するステップと、
前記提案要求を取得した場合に、前記提案要求が示す前記サービスの利用の提案を前記一方のユーザに送信するステップと、
前記提案を前記一方のユーザに送信した後に、前記一方のユーザから前記提案を承諾したことを示す承諾通知と、前記利用要求とを取得するステップと、
を有し、
前記案内を送信するステップにおいて、前記承諾通知を取得したことをさらに条件として、前記案内を前記第１ユーザ及び前記第２ユーザに送信する、
請求項１０に記載の情報処理方法。
【請求項１２】
前記案内を送信するステップにおいて、前記案内として、前記サービスの予約を行うための情報を前記第１ユーザ及び前記第２ユーザに送信する、
請求項９から１１のいずれか一項に記載の情報処理方法。
【請求項１３】
前記案内を送信するステップにおいて、前記第１ユーザ及び前記第２ユーザにそれぞれ異なる内容の前記案内を送信する、
請求項９から１２のいずれか一項に記載の情報処理方法。
【請求項１４】
前記ユーザ情報には、前記サービスの利用料金を決済するための決済情報が含まれ、
前記案内を送信した後に、前記第１ユーザ及び前記第２ユーザそれぞれの前記決済情報に基づいて、前記第１ユーザ及び前記第２ユーザに対して前記利用料金を決済するステップを有する、
請求項９から１３のいずれか一項に記載の情報処理方法。
【請求項１５】
前記ユーザ情報には、前記ユーザの電話番号が含まれ、
前記ユーザ情報を登録するステップにおいて、前記電話番号が、前記所定の地域で事業を行う通信事業者により割り当てられた電話番号である場合に、前記ユーザ情報を前記地域内グループに登録する、
請求項９から１４のいずれか一項に記載の情報処理方法。
【請求項１６】
前記サービスに関する情報を登録するステップにおいて、前記ユーザが前記所定の地域を訪れることにより提供される前記サービスに関する情報を登録する、
請求項９から１５のいずれか一項に記載の情報処理方法。
【請求項１７】
コンピュータを、
所定の地域で提供されるサービスに関する情報を登録するサービス登録部、
前記所定の地域を在住地とするユーザのユーザ情報を含む登録要求に基づいて前記ユーザ情報を地域内グループに登録し、前記所定の地域とは異なる地域を在住地とするユーザのユーザ情報を含む登録要求に基づいて前記ユーザ情報を地域外グループに登録するユーザ登録部、
前記地域内グループに登録された第１ユーザ及び前記地域外グループに登録された第２ユーザのうちのいずれかの前記ユーザから、前記第１ユーザと前記第２ユーザとが前記サービスを共同で利用するための利用要求を取得する要求取得部、及び
前記要求取得部が取得した前記利用要求を送信した複数の前記ユーザに、前記第１ユーザと前記第２ユーザとが含まれることを条件として、前記サービスを利用するための案内を、前記第１ユーザ及び前記第２ユーザに送信する送信部、
として機能させるためのプログラム。
【発明の詳細な説明】
【技術分野】
【０００１】
本発明は、サービスを利用するための案内を提示する情報処理装置、情報処理方法及びプログラムに関する。
【背景技術】
【０００２】
近年、日本では、インバウンドの需要の増大により、海外からの旅行者（以下、ユーザという）が増えている。特許文献１には、ユーザに提供されるイベント（以下、「サービス」という）を含む旅行計画を作成する技術が開示されている。
【先行技術文献】
【特許文献】
【０００３】
【特許文献１】特開２０１５−００１８１１号公報
【発明の概要】
【発明が解決しようとする課題】
【０００４】
ところで、ユーザは、上記旅行計画に含まれるサービスが提供される地域で用いられる言語を話せなかったり、当該言語の文字を読めなかったりする場合がある。そのため、ユーザは、問題なくサービスを利用することができるか不安に感じる場合があった。
【０００５】
そこで、本発明はこれらの点に鑑みてなされたものであり、サービスの利用に対するユーザの不安を低減させることができる情報処理装置、情報処理方法及びプログラムを提供することを目的とする。
【課題を解決するための手段】
【０００６】
本発明の第１の態様における情報処理装置は、所定の地域で提供されるサービスに関する情報を登録するサービス登録部と、前記所定の地域を在住地とするユーザのユーザ情報を含む登録要求に基づいて前記ユーザ情報を地域内グループに登録し、前記所定の地域とは異なる地域を在住地とするユーザのユーザ情報を含む登録要求に基づいて前記ユーザ情報を地域外グループに登録するユーザ登録部と、前記ユーザから前記サービスを利用するための利用要求を取得する要求取得部と、前記要求取得部が取得した前記利用要求を送信した複数の前記ユーザに、前記地域内グループに登録された第１ユーザと前記地域外グループに登録された第２ユーザとが含まれることを条件として、前記サービスを利用するための案内を、前記第１ユーザ及び前記第２ユーザに送信する送信部と、を有する。
【０００７】
前記要求取得部は、前記利用要求を取得する前に、前記ユーザから前記サービスの利用を希望するための希望要求を取得し、前記情報処理装置は、前記要求取得部が前記ユーザから前記希望要求を取得した場合に、前記ユーザと、前記希望要求が示す前記サービスとを関連付ける関連付部をさらに有し、前記送信部は、前記要求取得部が取得した前記利用要求を送信した複数の前記ユーザに、前記第１ユーザと前記第２ユーザとが含まれ、かつ前記第１ユーザと前記第２ユーザとのうちの少なくともいずれかに前記サービスが関連付けられていることを条件として、前記案内を前記第１ユーザ及び前記第２ユーザに送信してもよい。
【０００８】
前記要求取得部は、前記ユーザから、他のユーザに前記サービスの利用を提案するための提案要求を取得し、前記送信部は、前記第１ユーザ及び前記第２ユーザのいずれか一方のユーザから前記提案要求を取得した場合に、前記提案要求が示す前記サービスの利用の提案を、前記第１ユーザ及び前記第２ユーザのうち、前記一方のユーザとは異なる他方のユーザに送信し、前記要求取得部は、前記送信部が前記提案を前記他方のユーザに送信した後に、前記他方のユーザから前記提案を承諾したことを示す承諾通知を取得し、前記送信部は、前記要求取得部が前記承諾通知を取得したことを条件として、前記案内を前記第１ユーザ及び前記第２ユーザに送信してもよい。
【０００９】
前記送信部は、前記案内として、前記サービスの予約を行うための情報を前記第１ユーザ及び前記第２ユーザに送信してもよい。
前記送信部は、前記第１ユーザ及び前記第２ユーザにそれぞれ異なる内容の前記案内を送信してもよい。
【００１０】
前記ユーザ情報には、前記サービスの利用料金を決済するための決済情報が含まれ、前記情報処理装置は、前記送信部が前記案内を送信した後に、前記第１ユーザ及び前記第２ユーザそれぞれの前記決済情報に基づいて、前記第１ユーザ及び前記第２ユーザに対して前記利用料金を決済する決済部をさらに有してもよい。
【００１１】
前記ユーザ情報には、前記ユーザの電話番号が含まれ、前記ユーザ登録部は、前記電話番号が、前記所定の地域で事業を行う通信事業者により割り当てられた電話番号である場合に、前記ユーザ情報を前記地域内グループに登録してもよい。
前記サービス登録部は、前記ユーザが前記所定の地域を訪れることにより提供される前記サービスに関する情報を登録してもよい。
【００１２】
本発明の第２の態様における情報処理方法は、コンピュータが実行する、所定の地域で提供されるサービスに関する情報を登録するステップと、前記所定の地域を在住地とするユーザのユーザ情報を含む登録要求に基づいて前記ユーザ情報を地域内グループに登録するステップと、前記所定の地域とは異なる地域を在住地とするユーザのユーザ情報を含む登録要求に基づいて前記ユーザ情報を地域外グループに登録するステップと、前記ユーザから前記サービスを利用するための利用要求を取得するステップと、取得した前記利用要求を送信した複数の前記ユーザに、前記地域内グループに登録された第１ユーザと前記地域外グループに登録された第２ユーザとが含まれることを条件として、前記サービスを利用するための案内を、前記第１ユーザ及び前記第２ユーザに送信するステップと、を有する。
【００１３】
本発明の第３の態様におけるプログラムは、コンピュータを、所定の地域で提供されるサービスに関する情報を登録するサービス登録部、前記所定の地域を在住地とするユーザのユーザ情報を含む登録要求に基づいて前記ユーザ情報を地域内グループに登録し、前記所定の地域とは異なる地域を在住地とするユーザのユーザ情報を含む登録要求に基づいて前記ユーザ情報を地域外グループに登録するユーザ登録部、前記ユーザから前記サービスを利用するための利用要求を取得する要求取得部、及び前記要求取得部が取得した前記利用要求を送信した複数の前記ユーザに、前記地域内グループに登録された第１ユーザと前記地域外グループに登録された第２ユーザとが含まれることを条件として、前記サービスを利用するための案内を、前記第１ユーザ及び前記第２ユーザに送信する送信部、として機能させる。
【発明の効果】
【００１４】
本発明によれば、サービスの利用に対するユーザの不安を低減させることができるという効果を奏する。
【図面の簡単な説明】
【００１５】
【図１】情報処理システムＳの概要を説明するための図である。
【図２】情報処理装置２の構成を示す図である。
【図３】記憶部２２に記憶されているデータベースの構成の一例を示す図である。
【図４】専用アプリの表示画面の一例を示す図である。
【図５】専用アプリの表示画面の一例を示す図である。
【図６】専用アプリの表示画面の一例を示す図である。
【図７】情報処理システムＳの処理の流れを示すシーケンス図である。
【発明を実施するための形態】
【００１６】
［情報処理システムＳの概要］
図１は、情報処理システムＳの概要を説明するための図である。情報処理システムＳは、ユーザＵに情報処理サービスを提供するために用いられるシステムである。ユーザＵは、情報処理サービスを利用する利用者であり、様々な在住地（例えば、日本、中国及び米国等）の利用者が含まれる。
【００１７】
情報処理サービスは、ユーザＵが所定の地域で提供される地域サービスを利用するための利用案内を、当該ユーザＵに提供するためのサービスである。所定の地域は、例えば、日本である。地域サービスは、例えば、飲食、宿泊、エステ又はレジャー等のように、ユーザＵが所定の地域を訪れることにより提供されるサービスである。
【００１８】
情報処理システムＳは、ユーザ端末１と、情報処理装置２とを有する。ユーザ端末１は、ユーザＵが使用する端末であり、例えば、スマートフォン又はタブレット等である。ユーザ端末１には、ユーザＵに情報処理サービスを提供するための専用のアプリケーションプログラム（以下、「専用アプリ」という）がインストールされている。
【００１９】
情報処理装置２は、情報処理サービスを管理する装置であり、例えば、サーバである。情報処理装置２には、ユーザＵのユーザ情報が記憶されている。ユーザ情報は、地域内グループ及び地域外グループのうちのいずれかのグループに登録されている。
【００２０】
地域内グループは、所定の地域を在住地とするユーザＵが含まれるグループである。地域外グループは、所定の地域と異なる地域を在住地とするユーザＵが含まれるグループである。所定の地域と異なる地域は、例えば、中国及び米国等である。なお、所定の地域が、中国及び米国等であり、所定の地域と異なる地域が、日本であってもよい。また、所定の地域は、日本の都道府県又は市区町村であってもよい。
【００２１】
情報処理装置２には、情報処理サービスにおいて、ユーザＵに提示可能な地域サービスに関する情報であるサービス情報が記憶されている。サービス情報は、例えば、サービス名、地域サービスの内容、地域サービスが提供される場所及び地域サービスの利用料金等を含む。ユーザＵは、専用アプリの表示画面において、サービス情報を閲覧したり、当該サービス情報に基づいて地域サービスの利用を申し込んだりすることができる。
【００２２】
また、専用アプリの表示画面には、表示画面に表示される文字の言語を設定するための設定項目が設けられており、表示画面に表示される文字が当該設定項目においてユーザＵが設定した言語で表示される。なお、上記文字の言語は、ユーザＵが上記設定項目で設定する場合に限らず、例えば、ユーザ情報を登録するための表示画面には、会話等が可能な言語を設定する一以上の設定項目が設けられており、表示画面に表示される文字が当該設定項目においてユーザＵが設定した言語で表示されてもよい。この場合において、ユーザＵが、会話等が可能な言語として複数の言語（例えば、日本語、英語及び中国語）を設定した場合、上記文字の言語は、複数の言語の中で優先度が高い言語（例えば、ユーザＵが設定した住所の地域で用いられる言語）であってもよい。
【００２３】
図１に示す第１ユーザＵ１は、地域内グループに登録されたユーザＵ（所定の地域を在住地とするユーザＵ）であり、例えば、外国人留学生又は外国人労働者等である。第２ユーザＵ２は、地域外グループに登録されたユーザＵ（所定の地域と異なる地域を在住地とするユーザＵ）である。第１ユーザＵ１及び第２ユーザＵ２は、例えば、母国語、又は会話可能な言語が共通するユーザＵである。
【００２４】
この場合において、まず、各ユーザＵ（第１ユーザＵ１及び第２ユーザＵ２）が、専用アプリの表示画面において、地域サービスの利用を申し込むための操作を行うと、各ユーザ端末１（第１ユーザＵ１が使用する第１ユーザ端末１ａ及び第２ユーザＵ２が使用する第２ユーザ端末１ｂ）は、地域サービスを利用するための利用要求を情報処理装置２に送信する（図１の（１））。
【００２５】
そして、情報処理装置２は、利用要求を取得すると、当該利用要求が利用案内を送信するための送信条件を満たす場合に、地域サービスを利用するための利用案内を、第１ユーザＵ１及び第２ユーザＵ２（第１ユーザ端末１ａ及び第２ユーザ端末１ｂ）に送信する（図１の（２））。利用案内の送信条件は、利用要求を送信した複数のユーザＵに、第１ユーザＵ１と第２ユーザＵ２とが含まれていることである。
【００２６】
その後、第１ユーザＵ１及び第２ユーザＵ２は、利用案内に基づいて、地域サービスを利用する。このようにすることで、情報処理システムＳは、第１ユーザＵ１及び第２ユーザＵ２に対して、地域サービスを同時に利用させることができる。例えば、第２ユーザＵ２による地域サービスの利用に第１ユーザＵ１を同伴させることにより、第２ユーザＵ２は、地域サービスが提供される所定の地域の言語を話せなかったり当該言語の文字を読めなかったりする場合であっても、所定の地域を在住地とする第１ユーザＵ１から地域サービスの利用に対する支援を受けることができる。その結果、情報処理システムＳは、地域サービスの利用に対する第１ユーザＵ１の不安を低減させることができる。
以下、情報処理装置２の構成について説明する。
【００２７】
［情報処理装置２の構成］
図２は、情報処理装置２の構成を示す図である。情報処理装置２は、通信部２１と、記憶部２２と、制御部２３とを有する。通信部２１は、ネットワークに接続するためのインターフェイスであり、例えばＬＡＮ（Local Area Network）コントローラを含んで構成されている。
【００２８】
記憶部２２は、ＲＯＭ（Read Only Memory）、ＲＡＭ（Random Access Memory）及びハードディスク等の記憶媒体である。記憶部２２は、制御部２３が実行するプログラムを記憶している。また、記憶部２２は、サービス情報を管理するサービス管理データベースと、ユーザ情報を管理するユーザ管理データベースとを記憶している。
【００２９】
図３は、記憶部２２に記憶されているデータベースの構成の一例を示す図である。図３（ａ）に示すサービス管理データベースは、サービス識別情報と、サービス情報（サービス名、サービス内容、案内情報、条件情報等）とを関連付けて記憶している。サービス識別情報は、地域サービスを識別するための情報である。案内情報は、ユーザＵに地域サービスを利用させるための利用案内を示す情報である。条件情報は、地域サービスを利用するための条件を示す情報であり、例えば、ユーザＵ（第１ユーザＵ１）に対する所定の地域で用いられる言語のレベルの高さを示す。条件情報は、例えば、所定の地域に居住した年数が所定の閾値以上であること、又は所定の地域で用いられる言語の検定試験における等級が所定の閾値以上であること等である。
【００３０】
図３（ｂ）に示すユーザ管理データベースには、ユーザ識別情報と、ユーザ情報（ユーザＵの名前、住所、電話番号、決済情報）と、グループとが関連付けて記憶されている。ユーザ識別情報は、ユーザＵを識別するための情報である。決済情報は、サービスの利用料を決済するための情報であり、例えば、クレジットカードの番号又は銀行口座の番号等である。グループは、ユーザＵが地域内グループ及び地域外グループのいずれかに含まれることを示す情報である。図３（ｂ）に示す例に限らず、ユーザ管理データベースには、性別、過去の居住地、所定の地域に居住している居住年数、経歴、及び嗜好等が記憶されてもよい。
【００３１】
図２に戻り、制御部２３は、例えば、ＣＰＵ（Central Processing Unit）である。制御部２３は、記憶部２２に記憶されたプログラムを実行することにより、要求取得部２３１、サービス登録部２３２、ユーザ登録部２３３、関連付部２３４、送信部２３５及び決済部２３６として機能する。
【００３２】
要求取得部２３１は、ユーザＵから種々の要求を取得する。例えば、まず、ユーザＵが、専用アプリの表示画面において所定の操作を行うと、ユーザ端末１は、ユーザＵによる所定の操作に対応する要求を情報処理装置２に送信する。そして、要求取得部２３１は、通信部２１を介して、ユーザＵの要求をユーザ端末１から取得する。
【００３３】
サービス登録部２３２は、サービス情報を含むサービス登録要求に基づいて、サービス情報を登録する。サービス登録要求は、地域サービスを登録するための要求である。具体的には、まず、要求取得部２３１がサービス登録要求を取得すると、サービス登録部２３２は、サービス識別情報を生成する。そして、サービス登録部２３２は、生成したサービス識別情報と、要求取得部２３１が取得したサービス登録要求に含まれるサービス情報と関連付けてサービス管理データベースに記憶させる。
【００３４】
要求取得部２３１は、例えば、サービス登録要求を、地域サービスを提供するサービス提供者から取得する。要求取得部２３１は、サービス登録要求を、ユーザＵ（第１ユーザＵ１又は第２ユーザＵ２）から取得してもよい。
【００３５】
ユーザ登録部２３３は、ユーザＵのユーザ情報を含むユーザ登録要求に基づいて、当該ユーザ情報を登録する。ユーザ登録要求は、ユーザ情報を登録するための要求である。例えば、ユーザＵが、専用アプリの表示画面（例えば、ユーザ情報を登録するためのユーザ登録画面）においてユーザＵの名前等を含むユーザ情報を入力し、当該ユーザ情報を登録するための操作を行うと、ユーザ端末１は、ユーザ情報を含むユーザ登録要求を情報処理装置２に送信する。要求取得部２３１がユーザ登録要求を取得すると、ユーザ登録部２３３は、ユーザ識別情報を生成し、生成したユーザ識別情報と、ユーザ登録要求に含まれるユーザ情報とを関連付けてユーザ管理データベースに記憶させる。
【００３６】
ユーザ登録部２３３は、ユーザ情報を、ユーザＵの在住地に応じて、地域内グループ及び地域外グループのいずれかにユーザ情報を登録する。具体的には、ユーザ登録部２３３は、所定の地域を在住地とするユーザＵのユーザ情報を含むユーザ登録要求に基づいてユーザ情報を地域内グループに登録し、所定の地域とは異なる地域を在住地とするユーザＵのユーザ情報を含むユーザ登録要求に基づいてユーザ情報を地域外グループに登録する。
【００３７】
より具体的には、ユーザ登録部２３３は、ユーザＵの在住地が所定の地域（例えば日本）である場合、ユーザ識別情報と、当該ユーザＵのユーザ情報と、地域内グループを示すグループ情報とを関連付けてユーザ管理データベースに記憶させ、ユーザＵの在住地が所定の地域とは異なる地域（例えば中国）である場合、ユーザ識別情報と、当該ユーザＵのユーザ情報と、地域外グループを示すグループ情報とを関連付けてユーザ管理データベースに記憶させる。
【００３８】
例えば、ユーザ登録画面には、地域内グループ及び地域外グループのうちのいずれかのグループを選択可能な入力項目（例えばラジオボタン）が表示されており、ユーザ登録部２３３は、ユーザＵが選択したグループにユーザ情報を登録する。ユーザ登録部２３３は、ユーザ情報に含まれる住所に基づいて、地域内グループ及び地域外グループのいずれかのグループに当該ユーザ情報を登録してもよい。
【００３９】
また、ユーザ登録部２３３は、ユーザ情報に含まれる電話番号に基づいて、地域内グループ及び地域外グループのいずれかのグループに当該ユーザ情報を登録してもよい。具体的には、ユーザ登録部２３３は、ユーザ情報に含まれる電話番号が、所定の地域で事業を行う通信事業者により割り当てられた電話番号（例えば、０９０ではじまる携帯番号等）である場合に、ユーザ情報を地域内グループに登録する。ユーザ登録部２３３は、ユーザ情報に含まれる電話番号が、所定の地域で事業を行う通信事業者により割り当てられた電話番号以外の電話番号（例えば、中国における１３ではじめる電話番号等）である場合に、ユーザ情報を地域外グループに登録してもよい。
【００４０】
このようにすることで、情報処理装置２は、ユーザＵがグループを選択する操作を省くことができる。なお、ユーザ登録部２３３は、ユーザＵが選択したグループ又は住所に応じて定まるグループと、電話番号に応じて定まるグループとが一致する場合に、当該グループ（地域内グループ又は地域外グループ）にユーザ情報を登録してもよい。
【００４１】
また、ユーザ登録部２３３は、ユーザ情報の登録時に、当該ユーザ情報に含まれる電話番号を認証してもよい。例えば、ユーザＵがユーザ登録画面において電話番号を入力すると、ユーザ登録部２３３は、認証コードを含むメッセージ（例えば、ＳＭＳ（Short Message Service）のメッセージ）を電話番号に送信する。そして、ユーザＵがユーザ登録画面において上記認証コードを入力すると、ユーザ登録部２３３は、電話番号に送信した認証コードと、ユーザＵが入力した認証コードとが一致する場合に、ユーザ情報を登録する。このようにすることで、情報処理装置２は、電話番号の存在や正当性、地域内での在住有無、が一定程度担保されるため、地域内外のグループ分けの信頼性が向上する。
【００４２】
送信部２３５は、ユーザＵから地域サービスを利用するための利用要求に基づいて、地域サービスを利用するための利用案内を、当該ユーザＵに送信する。利用要求には、地域サービスに対応するサービス識別情報を含む。
【００４３】
例えば、ユーザＵが、専用アプリの表示画面（例えば、複数の地域サービスが表示されたサービス一覧画面）において、選択した地域サービスを利用するための操作を行うと、ユーザ端末１は、当該地域サービスに対応するサービス識別情報を含む利用要求を情報処理装置２に送信する。要求取得部２３１が、利用要求をユーザＵから取得すると、送信部２３５は、通信部２１を介して、利用要求に含まれるサービス識別情報に関連付けてサービス管理データベースに記憶されている案内情報を当該ユーザＵのユーザ端末１に送信する。
【００４４】
情報処理サービスにおいては、第１ユーザＵ１及び第２ユーザＵ２からの利用要求に基づいて、当該利用要求に対応する地域サービスの利用案内を第１ユーザＵ１及び第２ユーザＵ２に提示する。具体的には、送信部２３５は、利用案内の送信条件（要求取得部２３１が取得した利用要求を送信した複数のユーザＵに地域内グループに登録された第１ユーザＵ１と地域外グループに登録された第２ユーザＵ２とが含まれること）を満たす場合に、利用案内を、第１ユーザＵ１及び第２ユーザＵ２に送信する。
【００４５】
図４は、専用アプリの表示画面の一例を示す図である。図４に示す表示画面は、利用案内が表示された利用案内画面である。図４に示すように、利用案内画面には、地域サービスを利用するまでに実施するタスクの一覧が表示された表示欄Ｆ１と、タスクを実施するためのメッセージが表示された表示欄Ｆ２とが表示されている。各ユーザＵは、図４に示すような利用案内画面に表示された情報を確認して、地域サービスを利用するためのタスクを実施することができる。
【００４６】
図２に戻り、送信部２３５は、地域サービスに関連付けられたユーザＵからの利用要求に基づいて、当該地域サービスの利用案内を第１ユーザＵ１及び第２ユーザＵ２に送信してもよい。具体的には、まず、要求取得部２３１は、利用要求を取得する前に、ユーザＵから希望要求を取得する。希望要求は、地域サービスの利用を希望するための要求であり、例えば、地域サービスの利用を希望するユーザＵが、共同で地域サービスを利用する他のユーザＵを募集するための要求である。例えば、ユーザＵが、専用アプリの表示画面において、地域サービスの利用を希望するための操作を行うと、ユーザ端末１は、希望要求を情報処理装置２に送信する。
【００４７】
要求取得部２３１がユーザＵから希望要求を取得すると、関連付部２３４は、当該ユーザＵと、希望要求が示す地域サービスとを関連付ける。そして、送信部２３５は、要求取得部２３１が取得した利用要求を送信した複数のユーザＵに、第１ユーザＵ１と第２ユーザＵ２とが含まれ、かつ第１ユーザＵ１と第２ユーザＵ２とのうちの少なくともいずれかに地域サービスが関連付けられていることを条件として、地域サービスの利用案内を第１ユーザＵ１及び第２ユーザＵ２に送信する。送信部２３５は、例えば、要求取得部２３１が取得した利用要求を送信した複数のユーザＵに、第１ユーザＵ１と第２ユーザＵ２とが含まれ、かつ第１ユーザＵ１と第２ユーザＵ２とのうちのいずれか一方のユーザＵに地域サービスが関連付けられていることを条件として、地域サービスの利用案内を、第１ユーザＵ１及び第２ユーザＵ２に送信する。
【００４８】
図５は、専用アプリの表示画面の一例を示す図である。図５においては、地域サービスに関連付けられているユーザＵが第１ユーザＵ１であり、地域サービスに関連付けられていないユーザＵが第２ユーザＵ２である例を説明する。図５においては、第２ユーザＵ２の第２ユーザ端末１ｂに表示された表示画面の一例を示す。図５（ａ）に示す表示画面は、サービス一覧画面である。図５（ａ）に示すように、サービス一覧画面には、ユーザＵに提供可能な各地域サービスのサービス名が表示されている。第２ユーザＵ２が、サービス一覧画面において１つの地域サービスを選択する操作を行うと、図５（ｂ）に示す表示画面が表示される。
【００４９】
図５（ｂ）に示す表示画面は、地域サービスの詳細が表示された詳細画面である。図５（ｂ）に示す例において、地域サービスには、複数の第１ユーザＵ１が関連付けられており、ボタンＢ１の近傍に各第１ユーザＵ１の画像が表示されている。第２ユーザＵ２が、ボタンＢ１を押下すると、図５（ｃ）に示す表示画面が表示される。
【００５０】
図５（ｃ）に示す表示画面は、第１ユーザＵ１を選択するためのユーザ選択画面である。図５（ｃ）に示すように、ユーザ選択画面には、各第１ユーザＵ１に関する情報（例えば、第１ユーザＵ１の名前及び自己紹介等）が表示されている。第２ユーザＵ２が、ユーザ選択画面において、複数の第１ユーザＵ１の中から１人の第１ユーザＵ１を選択する操作を行うと、第２ユーザ端末１ｂは、情報処理装置２を介して、第２ユーザＵ２によって選択されたことを示す選択情報を、第２ユーザＵ２が選択した第１ユーザＵ１の第１ユーザ端末１ａに通知する。
【００５１】
第１ユーザ端末１ａは、選択情報を取得すると、地域サービスの利用要求を情報処理装置２に送信する。第１ユーザ端末１ａは、例えば、専用アプリの表示画面に選択情報を表示し、選択情報を確認した第１ユーザＵ１が地域サービスを利用するための操作を行うと、地域サービスの利用要求を情報処理装置２に送信する。第２ユーザ端末１ｂは、選択情報を通知した後に、地域サービスの利用要求を情報処理装置２に送信する。このようにすることで、第２ユーザＵ２は、地域サービスを共同して利用することを希望する第１ユーザＵ１と共に地域サービスを利用することができる。
【００５２】
上記において、第２ユーザＵ２が第１ユーザＵ１を選択する例を説明したが、これに限らない。例えば、情報処理装置２が複数の第１ユーザＵ１の中から１人の第１ユーザＵ１を選択してもよい。情報処理装置２は、例えば、複数の第１ユーザＵ１の中から、第２ユーザＵ２との共通点（例えば、性別、年齢、過去の居住地、出身校、及び嗜好等）が相対的に多い第１ユーザＵ１（例えば、共通点が最も多い第１ユーザＵ１）を選択する。このようにすることで、情報処理装置２は、第２ユーザＵ２が第１ユーザＵ１を選択する手間を省かせることができる。
【００５３】
送信部２３５は、要求取得部２３１が取得した利用要求を送信した複数のユーザＵに、第１ユーザＵ１と第２ユーザＵ２とが含まれ、かつ第１ユーザＵ１及び第２ユーザＵ２それぞれに地域サービスが関連付けられていることを条件として、地域サービスの利用案内を、第１ユーザＵ１及び第２ユーザＵ２に送信してもよい。
【００５４】
例えば、まず、送信部２３５は、地域サービスに関連付けられたユーザＵに第１ユーザＵ１と第２ユーザＵ２とが含まれる場合、第２ユーザＵ２が地域サービスの利用を希望していることを示す希望者情報を第１ユーザＵ１に送信し、第１ユーザＵ１が地域サービスの利用を希望していることを示す希望者情報を第２ユーザＵ２に送信する。そして、送信部２３５は、要求取得部２３１が取得した利用要求を送信した複数のユーザＵに、希望者情報を送信した第１ユーザＵ１と第２ユーザＵ２とが含まれていることを条件として、地域サービスの利用案内を、第１ユーザＵ１及び第２ユーザＵ２に送信する。
【００５５】
ところで、地域サービスの利用においては、当該地域サービスを提供する店舗の環境に応じて、ユーザＵに要求される所定の地域で用いられる言語のレベルの高さが異なる。例えば、外国語を話せるスタッフがいたり、外国語のメニュー表が用意されていたりする店舗においては、ユーザＵが所定の地域で用いられる言語のレベルが高くない場合であっても地域サービスを利用し得るが、外国語を話せるスタッフがいなかったり、外国語のメニュー表が用意されていなかったりする店舗においては、ユーザＵが所定の地域で用いられる言語のレベルが高くないと地域サービスを利用することが困難になる可能性がある。
【００５６】
そこで、関連付部２３４は、第１ユーザＵ１が地域サービスを利用するための利用条件を満たす場合に、第１ユーザＵ１と地域サービスとを関連付けてもよい。関連付部２３４は、例えば、第１ユーザＵ１のユーザ情報（例えば、居住年数、経歴等）を参照し、第１ユーザＵ１が地域サービスの利用条件を満たすか否かを判定する。このようにすることで、情報処理装置２は、地域サービスを提供する店舗の環境に応じた言語のレベルの高さを有する第１ユーザＵ１及び第２ユーザＵ２に地域サービスを利用させることができる。
【００５７】
送信部２３５は、第１ユーザＵ１及び第２ユーザＵ２のいずれか一方のユーザＵから提案要求を受けた他方のユーザＵが当該提案要求を承諾した場合に、地域サービスの利用案内を第１ユーザ及び第２ユーザに送信してもよい。提案要求は、ユーザＵが、他のユーザＵに地域サービスの利用を提案するための要求である。以下において、一方のユーザＵが第２ユーザＵ２であり、他方のユーザＵが第１ユーザＵ１である例を説明する。
【００５８】
具体的には、まず、要求取得部２３１は、提案対象の第１ユーザＵ１に対応するユーザ識別情報を含む提案要求を第２ユーザＵ２から取得する。送信部２３５は、要求取得部２３１が第２ユーザＵ２から提案要求を取得した場合に、当該提案要求が示す地域サービスの利用の提案を、当該提案要求に含まれるユーザ識別情報が示す第１ユーザＵ１に送信する。
【００５９】
例えば、図５（ｃ）に示すユーザ選択画面には、第２ユーザＵ２が第１ユーザＵ１に地域サービスの利用を提案するための不図示の入力欄が設けられている。この場合において、第２ユーザＵ２が、ユーザ選択画面において入力欄に提案内容を入力して、第１ユーザＵ１を選択する操作を行うと、第２ユーザ端末１ｂは、地域サービスのサービス識別情報と、入力欄に入力された提案内容と、選択された第１ユーザＵ１のユーザ識別情報とを含む提案要求を情報処理装置２に送信する。送信部２３５は、要求取得部２３１が提案要求を取得した場合に、サービス識別情報が示す地域サービスに対する提案内容を、ユーザ識別情報が示す第１ユーザＵ１に送信する。
【００６０】
要求取得部２３１は、送信部２３５が地域サービスの利用の提案を第１ユーザＵ１に送信した後に、第２ユーザＵ２から承諾通知を取得する。承諾通知は、第２ユーザＵ２が地域サービスの利用の提案を承諾したことを示す通知である。例えば、第１ユーザ端末１ａは、情報処理装置２から地域サービスの利用の提案を取得すると、専用アプリの表示画面に提案内容を表示する。第１ユーザＵ１が、表示画面において地域サービスの利用の提案を承諾するための操作を行うと、第１ユーザ端末１ａは、承諾通知を情報処理装置２に送信する。
【００６１】
そして、送信部２３５は、要求取得部２３１が第２ユーザＵ２から承諾通知を取得したことを条件として、地域サービスの利用案内を第１ユーザＵ１及び第２ユーザＵ２に送信する。このようにすることで、情報処理装置２は、共同して地域サービスを利用することに承諾した第１ユーザＵ１及び第２ユーザＵ２に当該地域サービスの利用案内を提示することができる。
【００６２】
送信部２３５は、地域サービスの利用案内として、地域サービスの予約を行うための情報を第１ユーザＵ１及び第２ユーザＵ２に送信してもよい。地域サービスの予約を行うための情報は、例えば、地域サービスの予約を受け付ける予約ページのＵＲＬ（Uniform Resource Locator）、又は地域サービスを提供する店舗の電話番号等である。このようにすることで、情報処理装置２は、地域サービスを利用するための作業を支援することができる。なお、送信部２３５は、地域サービスの予約を行うための情報を、第１ユーザＵ１及び第２ユーザＵ２のいずれか一方（例えば第１ユーザＵ１）に送信してもよい。
【００６３】
送信部２３５は、第１ユーザＵ１及び第２ユーザＵ２にそれぞれ異なる内容の利用案内を送信してもよい。利用案内の内容は、例えば、情報処理サービスの利用に伴う利用料金である。情報処理サービスの利用に伴う利用料金は、各地域サービスにおいて同一の利用料金であってもよいし、地域サービスごとに異なる料金であってもよい。
【００６４】
送信部２３５は、例えば、情報処理サービスの利用に伴う第１利用料金を請求するための情報を第２ユーザＵ２に送信し、第１利用料金より安い第２利用料金を請求するための情報を第１ユーザＵ１に送信する。送信部２３５は、例えば、第１利用料金から予め定められた割引額（割引率）を差し引いた第２利用料金を請求するための情報を第２ユーザＵ２に送信する。このようにすることで、情報処理装置２は、第２ユーザＵ２の支援に対する報酬を第１ユーザＵ１に提供することができる。
【００６５】
情報処理装置２は、利用案内を送信した後に、第２ユーザＵ２に利用させる車両を予約してもよい。車両は、旅客を輸送する車両であり、例えばタクシーである。具体的には、送信部２３５は、乗車場所と目的地と出発時刻と到着時刻とを含み、車両を予約するための予約要求を、旅客を輸送する輸送サービスに送信する。
【００６６】
図６は、専用アプリの表示画面の一例を示す図である。図６に示す表示画面は、利用案内が表示された利用案内画面である。図６に示すように、利用案内画面には、車両を予約するための情報が表示された表示欄Ｆ３が表示されている。ユーザＵ（第２ユーザＵ２）が、利用案内画面において、乗車場所等の入力項目を入力してボタンＢ２を押下すると、ユーザ端末１は、ユーザＵが入力した入力情報を情報処理装置２に送信する。要求取得部２３１が入力情報を取得すると、送信部２３５は、当該入力情報に基づいて、予約要求を輸送サービスに送信する。図６に示すように、予約要求には、ユーザＵが会話可能な言語がさらに含まれてもよい。このようにすることで、情報処理装置２は、ユーザＵと会話可能な言語が共通するドライバーの車両の予約を要求することができる。
【００６７】
情報処理装置２は、第１ユーザＵ１及び第２ユーザＵ２に利用案内を送信した後に、当該利用案内に伴う利用料金を決済してもよい。具体的には、決済部２３６は、送信部２３５が利用案内を送信した後に、第１ユーザＵ１及び第２ユーザＵ２それぞれのユーザ情報に含まれる決済情報に基づいて、第１ユーザＵ１及び第２ユーザＵ２に対して利用料金を決済する。
【００６８】
［情報処理システムＳの処理］
続いて、情報処理システムＳの処理の流れについて説明する。図７は、情報処理システムＳの処理の流れを示すシーケンス図である。図７に示すＳ１は、Ｓ３の直後に実行されてもよい。本処理は、サービス登録部２３２が、サービス提供者によるサービス登録要求に基づいてサービス情報を登録したことを契機として開始する（Ｓ１）。
【００６９】
ユーザＵが、専用アプリのユーザ登録画面においてユーザＵの名前等を含むユーザ情報を入力し、当該ユーザ情報を登録するための操作を行うと、ユーザ端末１は、ユーザ情報を含むユーザ登録要求を情報処理装置２に送信する（Ｓ２）。要求取得部２３１がユーザ登録要求を取得すると、ユーザ登録部２３３は、ユーザ登録要求に含まれるユーザ情報を、ユーザＵの在住地に応じて、地域内グループ及び地域外グループのいずれかにユーザ情報を登録する（Ｓ３）。具体的には、ユーザ登録部２３３は、所定の地域を在住地とするユーザＵのユーザ情報を含むユーザ登録要求に基づいてユーザ情報を地域内グループに登録し、所定の地域とは異なる地域を在住地とするユーザＵのユーザ情報を含むユーザ登録要求に基づいてユーザ情報を地域外グループに登録する。
【００７０】
ユーザＵが、専用アプリのサービス一覧画面において、地域サービスを利用するための操作を行うと、ユーザ端末１は、当該地域サービスの利用要求を情報処理装置２に送信する（Ｓ４）。要求取得部２３１が地域サービスの利用要求を取得すると、送信部２３５は、利用案内の送信条件を満たすか否か、すなわち要求取得部２３１が取得した利用要求を送信した複数のユーザＵに、地域内グループに登録された第１ユーザＵ１と地域外グループに登録された第２ユーザＵ２とが含まれるか否かを判定する（Ｓ５）。
【００７１】
送信部２３５は、利用案内の送信条件を満たさないと判定した場合（Ｓ５においてＮＯの場合）、処理をＳ４に戻す。一方、送信部２３５は、利用案内の送信条件を満たすと判定した場合（Ｓ５においてＹＥＳの場合）、ユーザ端末１（第１ユーザ端末１ａ及び第２ユーザ端末１ｂ）に地域サービスの利用案内を送信する（Ｓ６）。
【００７２】
［本実施の形態における効果］
以上説明したとおり、情報処理装置２は、地域内グループに登録された第１ユーザＵ１と地域外グループに登録された第２ユーザＵ２とから、登録された地域サービスを利用するための利用要求を取得したことを条件として、当該地域サービスを利用するための利用案内を第１ユーザＵ１及び第２ユーザＵ２に送信する。このようにすることで、情報処理システムＳは、第１ユーザＵ１及び第２ユーザＵ２に対して、地域サービスを同時に利用させることができる。例えば、第２ユーザＵ２による地域サービスの利用に第１ユーザＵ１を同伴させることにより、第２ユーザＵ２は、地域サービスが提供される所定の地域の言語を話せなかったり当該言語の文字を読めなかったりする場合であっても、所定の地域を在住地とする第１ユーザＵ１から地域サービスの利用に対する支援を受けることができる。その結果、情報処理システムＳは、地域サービスの利用に対する第１ユーザＵ１の不安を低減させることができる。
【００７３】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００７４】
１  ユーザ端末
２  情報処理装置
２１  通信部
２２  記憶部
２３  制御部
２３１  要求取得部
２３２  サービス登録部
２３３  ユーザ登録部
２３４  関連付部
２３５  送信部
２３６  決済部
Ｓ  情報処理システム
Ｕ  ユーザ
【要約】
【課題】サービスの利用に対するユーザの不安を低減させる。
【解決手段】情報処理装置２は、所定の地域で提供されるサービスに関する情報を登録するサービス登録部２３２と、所定の地域を在住地とするユーザのユーザ情報を含む登録要求に基づいてユーザ情報を地域内グループに登録し、所定の地域とは異なる地域を在住地とするユーザのユーザ情報を含む登録要求に基づいてユーザ情報を地域外グループに登録するユーザ登録部２３３と、ユーザからサービスを利用するための利用要求を取得する要求取得部２３１と、要求取得部２３１が取得した利用要求を送信した複数のユーザに、地域内グループに登録された第１ユーザと地域外グループに登録された第２ユーザとが含まれることを条件として、サービスを利用するための案内を、第１ユーザ及び第２ユーザに送信する送信部２３５と、を有する。
【選択図】図２【図１】
0006915137.tif 000002
【図２】
0006915137.tif 000003
【図３】
0006915137.tif 000004
【図４】
0006915137.tif 000005
【図５】
0006915137.tif 000006
【図６】
0006915137.tif 000007
【図７】
0006915137.tif 000008